(57)【特許請求の範囲】
【請求項１】
方形状または略方形状に形成された露光用の開口部を有する地板と、
前記開口部の開閉状態を切り替えるよう動作する羽根と、
前記羽根と対向する位置に配置された板状部材と、
前記羽根を動作させる駆動機構部と、を備え
前記板状部材は、前記開口部の一辺に対応し、前記開口部を挟んで前記駆動機構部の反対側に位置する辺を有し、
前記辺は、前記開口部の前記一辺に沿った略直線状の上下部分と、前記上下部分よりも前記開口部の前記一辺に対して離間した中央部分とを有し、
前記中央部分は、複数の凹凸を有する波打ち形状であって、前記辺の略中央部が前記開口部から最も離間する波打ち形状になっている、
フォーカルプレンシャッタ。
【請求項２】
前記板状部材は、前記開口部と重なるように形成された中間開口部を有する中間板であって、前記地板との間の空間に前記羽根が収容される羽根室を形成する中間板である、
請求項１に記載のフォーカルプレンシャッタ。
【請求項３】
方形状または略方形状に形成され、前記開口部と共に露光用の開口を形成する補助開口部を有する補助地板であって、前記地板との間の空間に前記羽根が収容される羽根室を形成する補助地板をさらに備え、
前記板状部材は、前記羽根を押さえるよう前記羽根室に配置された羽根押え板である、
請求項１に記載のフォーカルプレンシャッタ。
【請求項４】
請求項１〜３のいずれか１項に記載のフォーカルプレンシャッタを備える撮像装置。
【発明の詳細な説明】
【技術分野】
【０００１】
本発明の一態様は、カメラなどに用いられるフォーカルプレンシャッタなどに関する。
【背景技術】
【０００２】
羽根群によって地板の開口部（画枠）を開閉することで撮像素子またはフィルムに対する露光を行うフォーカルプレンシャッタでは、地板と補助地板との間に形成された羽根室に配置された羽根群を駆動機構により駆動することで開口部の開閉状態を変化させ、露光が行われる構成となっている。このようなフォーカルプレンシャッタにおいて、羽根群と地板または補助地板との間には、羽根群のバタつきを抑えるために羽根押え板が配置される構成となることが多い。また、羽根群を２組有する２幕構成のフォーカルプレンシャッタでは、先羽根群と後羽根群との間に中間板が配置される構成となる。このようなフォーカルプレンシャッタでは、開口部の端部で入射光が反射することで本来の色表現ができなくなったり、ゴーストやフレアが発生したりすることを防止するための構成を採ることがある（特許文献１参照）。
【先行技術文献】
【特許文献】
【０００３】
【特許文献１】特開２０１１−１４１３６６号公報
【発明の概要】
【発明が解決しようとする課題】
【０００４】
上記従来のフォーカルプレンシャッタでは、開口部の端部での入射光が反射することに起因するゴーストやフレア発生の対策として、羽根押え板や中間板の開口部を地板の開口部よりも拡大する形状にすることがあった。しかしながら、羽根押え板や中間板の開口部を拡大すると、羽根押え板や中間板そのものが拡大してしまい、それに伴いシャッタ全体が大型化する原因となり、ひいてはカメラ全体が大型化してしまっていた。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
方形状または略方形状に形成された露光用の開口部（１ａ）を有する地板（１）と、
前記開口部の開閉状態を切り替えるよう動作する羽根（５、６）と、
前記羽根と対向する位置に配置された板状部材（羽根押え板４、または中間板３）と、を備え
前記板状部材の前記開口部の一辺に対応する辺は、前記開口部の前記一辺に沿った略直線状の上下部分（４ａ、４ｂ）と、前記上下部分よりも前記開口部の前記一辺に対して離間した中央部分（ｃ）とを有する、
フォーカルプレンシャッタである。
【０００７】
上記構成のフォーカルプレンシャッタによれば、板状部分の中央部分が開口部の一辺に対して離間しているため、当該部分が入射光を反射することを抑制することができる。これによって、ゴーストやフレアの発生を防止し、高品質の画像を撮像することが可能となる。また、板状部分の上下部分では開口部の一辺に沿った直線形状となっているため、当該板状部分の大型化を抑制しつつ、羽根を押さえるための面積や、破損を防止するのに十分な面積を確保する構成とすることができる。
【０００８】
上記フォーカルプレンシャッタにおいて、好ましくは、
方形状または略方形状に形成され、前記開口部と共に露光用の開口を形成する補助開口部を有する補助地板であって、前記地板との間の空間に前記羽根が収容される羽根室を形成する補助地板をさらに備え、
前記板状部材は、前記羽根を押さえるよう前記羽根室に配置された羽根押え板である。
【０００９】
上記構成のフォーカルプレンシャッタによれば、羽根押え板による入射光の反射を抑制し、ゴーストやフレアの発生を防止する構成とすることができる。
【００１０】
上記フォーカルプレンシャッタにおいて、好ましくは、
前記板状部材の中央部分は、波打ち形状になっている。
【００１１】
上記構成のフォーカルプレンシャッタによれば、板状部材の中央部分による光の反射を乱反射とすることができ、これによって反射された不要光が撮像された画像に対して与える影響を低減させることができる。ひいては、当該フォーカルプレンシャッタを備えるカメラ等の撮像装置で撮像された画像を高画質化させることが可能となる。
【００１２】
また、本発明は、上記いずれかのフォーカルプレンシャッタを備える、カメラなどの撮像装置を含む。
【００１３】
上記構成の撮像装置によれば、装置を比較的小型に構成しつつ、羽根押え板の開口部などによる入射光の反射に起因する撮像画像の画質の低下を防止した構成とすることが可能となる。
【図面の簡単な説明】
【００１４】
【図１】羽根走行前のフォーカルプレンシャッタの平面図。
【図２】羽根走行後のフォーカルプレンシャッタの平面図。
【図３】羽根押え板の拡大図。
【図４】フォーカルプレンシャッタの分解斜視図。
【発明を実施するための形態】
【００１５】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００１６】
＜１．実施形態＞
本実施形態のフォーカルプレンシャッタは、羽根群を押さえる羽根押え板、及び／または中間板の、開口部の短辺に沿った辺の中央部分が波打ち形状に形成されている点に特徴のひとつがある。以下、本実施形態のフォーカルプレンシャッタについて、図面を参照しながら具体的に説明する。
【００１７】
図１は、本実施形態のフォーカルプレンシャッタの、羽根走行前の平面図である。図２は、本実施形態のフォーカルプレンシャッタの、羽根走行後の平面図である。すなわち、図１の状態から撮像のためのレリーズが行われ、先羽根群５及び後羽根群６（後述）が走行した後の状態が図２の状態である。図３は、本実施形態の羽根押え板の拡大図である。図４は、本実施形態のフォーカルプレンシャッタの分解斜視図である。図４に示された分解斜視図では、補助地板２が省略されている。
【００１８】
図１、図２及び図４に示されるように、本実施形態のフォーカルプレンシャッタは、地板１、補助地板２、中間板３、羽根押え板４、先羽根群５、後羽根群６、及び駆動機構部７などを含んで構成される。先羽根群５及び後羽根群６は、それぞれアーム５ａ及び５ｂ、並びにアーム６ａ及び６ｂに連結軸を介して接続されている。アーム５ａ、５ｂ、６ａ及び６ｂは、駆動機構部７に連結されている。なお、本実施形態では、先羽根群５及び後羽根群６を備える２幕構成のフォーカルプレンシャッタを例に挙げて説明するが、本実施形態の特徴的な構成は、羽根群が１組のみの単幕構成のフォーカルプレンシャッタにも適用可能である。
【００１９】
＜地板１＞
地板１は、フォーカルプレンシャッタの基板部分であって、露光開口（画枠）として機能する矩形状の開口部１ａが形成されている（図１、図２、及び図４参照）。図１に示されるように、地板１には駆動機構部７が搭載される。本実施形態のフォーカルプレンシャッタを搭載する撮像装置では、開口部１ａの先（被写体とは反対側）には撮像素子が配置される。ただし、露光開口の形状は、たとえば一辺が略Ｖ字状となっている形状や、角の部分が異型となっている略矩形であってもよい。さらに、露光開口が正方形または略正方形であってもよい。なお、矩形および正方形はまとめて「方形」という事がある。
【００２０】
＜補助地板２＞
補助地板２は、地板１と対向する位置に、地板１に対して所定の間隔を空けて取り付けられる。補助地板２には、地板１に形成された開口部１ａと類似した矩形状の開口部２ａが形成されている（図１、及び図２参照）。地板１と補助地板２との間の空間は、先羽根群５及び後羽根群６を含む部材が収容される羽根室と呼ばれる。
【００２１】
＜中間板３＞
中間板３は、地板１と補助地板２との間の羽根室に配置される（図４参照）。図４に示されるように、地板１と中間板３との間には、先羽根群５が配置され、補助地板２と中間板３との間には、羽根押え板４及び後羽根群６が配置される。中間板３には、地板１の開口部１ａと補助地板２の開口部２ａと重なり合うように、開口部３ｄが形成されている。開口部３ｄを形成する辺のうち短辺となる一辺（図１、図２、及び図４における右側の辺）は、その一部が波打ち形状に形成されている。すなわち、中間板３の一の短辺は、その長辺側と接する上下部分においては、地板１（または補助地板２）の開口部１ａ（または２ａ）に沿った略直線形状となっており、この略直線形状から先の中央部分においては、地板（または補助地板２）の開口部１ａ（または２ａ）からやや離間した波打ち形状（波状）に形成されている。
【００２２】
＜羽根押え板４＞
羽根押え板４は、地板１と補助地板２との間の羽根室であって、中間板３と後羽根群６との間に配置される（図４参照）。特に図３に示されるように、羽根押え板４は、後羽根群６の、アーム６ａ及び６ｂが接続された端部とは逆の端部近傍を覆うコ型（Ｕ字型）形状となっている。羽根押え板４の内側の一辺は、地板１の開口部１ａと補助地板２の開口部２ａの一の短辺に沿うような形状に形成されているが、特に本実施形態では、この羽根押え板４の内側の一辺に特徴がある。すなわち、羽根押え板４の開口部１ａ及び２ａに対応する一辺は、開口部１ａ及び２ａの長辺側と接する上下部分においては、地板１（または補助地板２）の開口部１ａ（または２ａ）に沿った略直線形状となっており、この略直線形状から先の中央部分においては、地板（または補助地板２）の開口部１ａ（または２ａ）からやや離間した波打ち形状（波状）に形成されている。すなわち、羽根押え板４の開口部１ａ及び２ａに対応する一辺は、中間板３と対応する一辺と類似形状となっている。羽根押え板４は、後羽根群６の動作時の揺れを軽減するよう機能する。
【００２３】
＜先羽根群５＞
先羽根群５は、地板１と補助地板２により画定される羽根室において、地板１と中間板３との間に配置される。先羽根群５は、駆動機構部７により駆動され、これによって開口部１ａ及び２ａにより画定される露光開口（画枠）を開閉するよう動作する。先羽根群５は複数枚の羽根により構成され、アーム５ａ及び５ｂを介して駆動機構部７に連結される。
【００２４】
＜後羽根群６＞
後羽根群６は、地板１と補助地板２により画定される羽根室において、羽根押え板４と補助地板２との間に配置される。後羽根群６は、駆動機構部７により駆動され、これによって開口部１ａ及び２ａにより画定される露光開口（画枠）を開閉するよう動作する。後羽根群６は複数枚の羽根により構成され、アーム６ａ及び６ｂを介して駆動機構部７に連結される。
【００２５】
＜駆動機構部７＞
駆動機構部７は、地板１に搭載され、電磁石またはバネ等を利用した動力によって、羽根群を動作させるよう構成される。ユーザによりカメラ等の撮像装置のレリーズが行われると、駆動機構部７が動作し、その動力はアーム５ａ、５ｂ、６ａ及び６ｂを介して先羽根群５及び後羽根群６に伝達される。これにより、先羽根群５及び後羽根群６が動作して露光開口（画枠）を開閉し、撮像素子に対する露光（入射光の照射）が行われる。
【００２６】
上記のとおり、本実施形態のフォーカルプレンシャッタでは、中間板３及び羽根押え板４の、開口部１ａ（及び２ａ）の短辺に対応する一辺の中央部分が、開口部１ａ（及び２ａ）の当該短辺に対して離間しているため、当該中央部分が入射光を反射することを抑制することができる。これによって、ゴーストやフレアの発生を防止し、高品質の画像を撮像することが可能となる。また、中間板３及び羽根押え板４の当該一辺の上下部分では、開口部１ａ（及び２ａ）の対応する短辺に沿った直線形状となっているため、中間板３及び羽根押え板４の大型化を抑制しつつ、先羽根群５及び後羽根群６を押さえるための面積や、破損を防止するのに十分な面積を確保する構成とすることができる。
【００２７】
また、本実施形態のフォーカルプレンシャッタによれば、中間板３及び羽根押え板４の上記一辺の中央部分を波打ち形状にしているため、当該中央部分による入射光の反射を乱反射とすることができ、これによって反射された不要光が撮像された画像に対して与える影響を低減させることができる。ひいては、当該フォーカルプレンシャッタを備えるカメラ等の撮像装置で撮像された画像を高画質化させることが可能となる。
【００２８】
＜２．補足事項＞
以上、本発明の実施形態についての具体的な説明を行った。上記説明は、あくまで一実施形態としての説明であって、本発明の範囲はこの一実施形態に留まらず、同様の技術思想に基づいて当業者が把握可能な範囲にまで広く解釈されるものである。
【００２９】
上記実施形態では、中間板３と羽根押え板４との双方が、開口部１ａ及び２ａの短辺に対応する一辺において直線形状部と波打ち形状部とを有する構成について説明したが、中間板３と羽根押え板４とのいずれかがこのような特徴を有する構成としても一定の効果が得られる。
【００３０】
また、上記実施形態では、先羽根群５及び後羽根群６を備える所謂２幕構成のフォーカルプレンシャッタを例に挙げて説明したが、羽根群を１組のみ備える所謂単幕構成のフォーカルプレンシャッタにも適用可能である。この場合、中間板３は不要な構成となるため、羽根押え板４の一辺が、直線形状部と波打ち形状部とを有する構成を採用する。
【００３１】
また、他の実施形態では、羽根押え板４は、中間板３と先羽根群５との間に設けられてもよい。さらに、その他の実施形態では、中間板３と先羽根群５との間、および中間板３と後羽根群６との間のそれぞれに羽根押え板４が設けられてもよい。
【００３２】
また、上記実施形態では、ＣＣＤやＣ−ＭＯＳなどの撮像素子を利用することを想定して説明しているが、上記実施形態のフォーカルプレンシャッタはフィルムを用いた撮像装置に適用することも可能である。
【産業上の利用可能性】
【００３３】
本発明のフォーカルプレンシャッタは、ゴーストやフレアの発生を抑制した撮像装置用のシャッタ装置などとして利用される。
【符号の説明】
【００３４】
１…地板
２…補助地板
３…中間板
１ａ、２ａ、３ｄ…開口部
４…羽根押え板
５…先羽根群
６…後羽根群
５ａ、６ａ…アーム
７…駆動機構部
【図１】
0006695175.tif 000002
【図２】
0006695175.tif 000003
【図３】
0006695175.tif 000004
【図４】
0006695175.tif 000005